(57)【要約】【課題】脱ハロゲン化剤やアセチルアセトンなどの配位子を使用することなく、架橋ダイマーから１段階で高収率、高純度でかつ短時間でオルトメタル化イリジウム錯体を製造できる方法を提供する。る。【解決手段】架橋ダイマーと有機配位子とを反応させてオルトメタル化イリジウム錯体を製造する方法において、有機配位子の使用量を架橋ダイマーに対して化学量論的に１０当量以上とする。【選択図】  なし【特許請求の範囲】
【請求項１】
ハロゲン配位子で架橋されたイリジウムダイマーと有機配位子を反応させてオルトメタル化イリジウム錯体を製造する方法において、有機配位子の使用量をハロゲン配位子で架橋されたイリジウムダイマーに対し化学量論的に１０当量以上とすることを特徴とするオルトメタル化イリジウム錯体の製造方法。
【請求項２】
ハロゲン配位子で架橋されたイリジウムダイマーが、下記一般式（１）で表される化合物またはその互変異性体であることを特徴とする請求項１に記載のオルトメタル化イリジウム錯体の製造方法。
一般式（１）
【化１】
2004168756.tif 000009
（一般式（１）中、Ｘはハロゲン原子を表し、Ｚ１、Ｚ２、Ｙ１    及びＱ１は、それぞれ独立に、５員環または６員環を形成するに必要な非金属原子群を表す。形成される環は置換基を有していても良く、またさらに別の環と縮合環を形成しても良い。Ｌ１は単結合または２価の基を表す。Ｙ１はそれぞれ窒素原子または炭素原子を表す。Ｙ１が窒素原子の時は、Ｑ１は炭素原子とＹ１とが単結合で結合していることを表す。Ｙ１が炭素原子のときは、Ｑ１は炭素原子とＹ１とが２重結合で結合していることを表す。）
【請求項３】
有機配位子が、下記一般式（２）で表される化合物であることを特徴とする請求項１又は２に記載のオルトメタル化イリジウム錯体の製造方法。
一般式（２）
【化２】
2004168756.tif 000010
（一般式（２）中、Ｚ３、Ｚ４、Ｙ２    及びＱ２は、それぞれ独立に、５員環または６員環を形成するに必要な非金属原子群を表す。形成される環は置換基を有していても良く、またさらに別の環と縮合環を形成しても良い。Ｌ２は単結合または２価の基を表す。Ｙ２は窒素原子または炭素原子を表す。Ｙ２が窒素原子の時は、Ｑ２は炭素原子とＹ２とが単結合で結合していることを表す。Ｙ２が炭素原子のときは、Ｑ２は炭素原子とＹ２とが２重結合で結合していることを表す。）
【請求項４】
オルトメタル化イリジウム錯体が、下記一般式（３）で表される化合物であることを特徴とする請求項１乃至３いずれかに記載のオルトメタル化イリジウム錯体の製造方法。
一般式（３）
【化３】
2004168756.tif 000011
（一般式（３）中、Ｚ５、Ｚ６、Ｙ３    及びＱ３は、それぞれ独立に、５員環または６員環を形成するに必要な非金属原子群を表す。形成される環は置換基を有していても良く、またさらに別の環と縮合環を形成しても良い。Ｌ３は単結合または２価の基を表す。Ｙ３は窒素原子または炭素原子を表す。Ｙ３が窒素原子の時は、Ｑ３は炭素原子とＹ３とが単結合で結合していることを表す。Ｙ３が炭素原子のときは、Ｑ３は炭素原子とＹ３とが２重結合で結合していることを表す。）
【請求項５】
オルトメタル化イリジウム錯体が、下記一般式（４）で表される化合物であることを特徴とする請求項１乃至４いずれかに記載のオルトメタル化イリジウム錯体の製造方法。
一般式（４）
【化４】
2004168756.tif 000012
（一般式（４）中、Ｚ７、Ｚ８、Ｚ９、Ｚ１０、Ｙ４、Ｙ５、Ｑ４及びＱ５は、それぞれ独立に、５員環または６員環を形成するに必要な非金属原子群を表す。形成される環は置換基を有していても良く、またさらに別の環と縮合環を形成しても良い。Ｌ４及びＬ５は単結合または２価の基を表す。Ｙ４及びＹ５はそれぞれ窒素原子または炭素原子を表す。Ｙ４が窒素原子の時は、Ｑ４は炭素原子とＹ４とが単結合で結合していることを表す。Ｙ４が炭素原子のときは、Ｑ４は炭素原子とＹ４とが２重結合で結合していることを表す。Ｙ５が窒素原子の時は、Ｑ５は炭素原子とＹ５とが単結合で結合していることを表す。Ｙ５が炭素原子のときは、Ｑ５は炭素原子とＹ５とが２重結合で結合していることを表す。）
【請求項６】
該反応が、極性溶媒中、マイクロ波照射下で行なわれることを特徴とする請求項１乃至５いずれかに記載のオルトメタル化イリジウム錯体の製造方法。
【発明の詳細な説明】
【技術分野】
【０００１】
本発明は、有機ＥＬ素子等に用いられる発光素子用材料として有用なオルトメタル化イリジウム錯体の製造方法に関する。
【背景技術】
【０００２】
有機ＥＬ素子は次世代の携帯情報端末などのディスプレイ素子として注目されており、近年になって発光素子の材料開発が活発に進められるようになってきた。その中でも、オルトメタル化イリジウム錯体は発光効率の観点から有望視されており、特に注目されている発光素子材料である。
【０００３】
このようなオルトメタル化イリジウム錯体の製造方法の一つとして、下記一般式（１）で表されるハロゲン配位子で架橋したイリジウムダイマー（以下、架橋イリジウムダイマーともいう）を出発原料として、これに有機配位子を反応させる方法が知られている。
しかしながら、この原料イリジウム架橋ダイマーは反応性が極めて低いため、脱ハロゲン化剤を使用するか（非特許文献１）、または、この架橋ダイマーを反応性の高いアセチルアセトンで配位されたイリジウム錯体に変換して、これを原料とする方法（特許文献１）等を採用する必要があった。このように架橋イリジウムダイマーを出発原料として、オルトメタル化イリジウム錯体を製造する際には、吸湿性で取り扱いにくいトリフルオロメタンスルホン酸銀等の脱ハロゲン化剤をあえて共存させるか、または、反応活性なアセチルアセトン配位子をわざわざ導入しなければならないといった問題点があった。
【０００４】
【特許文献１】特開２００２−１０５０５５号公報
【非特許文献１】Inorg.Chem., 33巻,545頁,1994年
【発明の開示】
【発明が解決しようとする課題】
【０００５】
本発明は、上記従来技術の事情に鑑みなされたものであって、架橋イリジウムダイマーと有機配位子を反応させて、オルトメタル化イリジウム錯体を製造する方法において、目的生成物であるオルトメタル化イリジウム錯体を、脱ハロゲン化剤やアセチルアセトンなどの配位子を使用することなく、１段階で高収率、高純度でかつ短時間に製造できる方法を提供することを目的とする。
【課題を解決するための手段】
【０００６】
本発明者らは、上記課題を鋭意検討した結果、架橋ダイマーと有機配位子を反応させて、オルトメタル化イリジウム錯体を製造する反応は、反応系中の有機配位子の物質量に大きく依存し、有機配位子を架橋ダイマーに対し、化学量論的に大過剰に添加することにより、該反応が著しく活性化されることを見出し、本発明を完成するに至った。
【０００７】
すなわち、本発明によれば、以下の発明が提供される。
（１）ハロゲン配位子で架橋されたイリジウムダイマーと有機配位子を反応させてオルトメタル化イリジウム錯体を製造する方法において、有機配位子の使用量をハロゲン配位子で架橋されたイリジウムダイマーに対し化学量論的に１０当量以上とすることを特徴とするオルトメタル化イリジウム錯体の製造方法。
（２）ハロゲン配位子で架橋されたイリジウムダイマーが、下記一般式（１）で表される化合物またはその互変異性体であることを特徴とする上記（１）に記載のオルトメタル化イリジウム錯体の製造方法。
一般式（１）
【化５】
2004168756.tif 000002
（一般式（１）中、Ｘはハロゲン原子を表し、Ｚ１、Ｚ２、Ｙ１    及びＱ１は、それぞれ独立に、５員環または６員環を形成するに必要な非金属原子群を表す。形成される環は置換基を有していても良く、またさらに別の環と縮合環を形成しても良い。Ｌ１は単結合または２価の基を表す。Ｙ１はそれぞれ窒素原子または炭素原子を表す。Ｙ１が窒素原子の時は、Ｑ１は炭素原子とＹ１とが単結合で結合していることを表す。Ｙ１が炭素原子のときは、Ｑ１は炭素原子とＹ１とが２重結合で結合していることを表す。）
（３）有機配位子が、下記一般式（２）で表される化合物であることを特徴とする上記（１）又は（２）に記載のオルトメタル化イリジウム錯体の製造方法。
一般式（２）
【化６】
2004168756.tif 000003
（一般式（２）中、Ｚ３、Ｚ４、Ｙ２    及びＱ２は、それぞれ独立に、５員環または６員環を形成するに必要な非金属原子群を表す。形成される環は置換基を有していても良く、またさらに別の環と縮合環を形成しても良い。Ｌ２は単結合または２価の基を表す。Ｙ２は窒素原子または炭素原子を表す。Ｙ２が窒素原子の時は、Ｑ２は炭素原子とＹ２とが単結合で結合していることを表す。Ｙ２が炭素原子のときは、Ｑ２は炭素原子とＹ２とが２重結合で結合していることを表す。）
（４）オルトメタル化イリジウム錯体が、下記一般式（３）で表される化合物であることを特徴とする上記（１）乃至（３）いずれかに記載のオルトメタル化イリジウム錯体の製造方法。
一般式（３）
【化７】
2004168756.tif 000004
（一般式（３）中、Ｚ５、Ｚ６、Ｙ３    及びＱ３は、それぞれ独立に、５員環または６員環を形成するに必要な非金属原子群を表す。形成される環は置換基を有していても良く、またさらに別の環と縮合環を形成しても良い。Ｌ３は単結合または２価の基を表す。Ｙ３は窒素原子または炭素原子を表す。Ｙ３が窒素原子の時は、Ｑ３は炭素原子とＹ３とが単結合で結合していることを表す。Ｙ３が炭素原子のときは、Ｑ３は炭素原子とＹ３とが２重結合で結合していることを表す。）
（５）オルトメタル化イリジウム錯体有機配位子が、下記一般式（４）で表される化合物であることを特徴とする上記（１）乃至（４）いずれかに記載のオルトメタル化イリジウム錯体の製造方法。
一般式（４）
【化８】
2004168756.tif 000005
（一般式（４）中、Ｚ７、Ｚ８、Ｚ９、Ｚ１０、Ｙ４、Ｙ５、Ｑ４及びＱ５は、それぞれ独立に、５員環または６員環を形成するに必要な非金属原子群を表す。形成される環は置換基を有していても良く、またさらに別の環と縮合環を形成しても良い。Ｌ４及びＬ５は単結合または２価の基を表す。Ｙ４及びＹ５はそれぞれ窒素原子または炭素原子を表す。Ｙ４が窒素原子の時は、Ｑ４は炭素原子とＹ４とが単結合で結合していることを表す。Ｙ４が炭素原子のときは、Ｑ４は炭素原子とＹ４とが２重結合で結合していることを表す。Ｙ５が窒素原子の時は、Ｑ５は炭素原子とＹ５とが単結合で結合していることを表す。Ｙ５が炭素原子のときは、Ｑ５は炭素原子とＹ５とが２重結合で結合していることを表す。）
（６）該反応が、極性溶媒中、マイクロ波照射下で行なわれることを特徴とする上記（１）乃至（５）いずれかに記載のオルトメタル化イリジウム錯体の製造方法。
【発明の効果】
【０００８】
本発明方法によれば、これまで困難とされてきた架橋ダイマーからオルトメタル化イリジウム錯体への１段階合成を、脱ハロゲン化剤を加えることなく、また原料変換することなく高収率、高純度かつ短時間に得ることができる。
【発明を実施するための最良の形態】
【０００９】
本発明は、ハロゲン配位子で架橋したイリジウムダイマー（架橋イリジウムダイマー）と有機配位子を反応させてオルトメタル化イリジウム錯体を製造する際に、有機配位子をハロゲン配位子で架橋したイリジウムダイマーに対し、化学量論的に１０等量以上添加し反応させるものである。
【００１０】
本明細書において、一般式（１）〜（４）に記載した記号（Ｚ１、Ｚ２、Ｚ３、Ｚ４、Ｚ５、Ｚ６、Ｚ７、Ｚ８、Ｚ９、Ｚ１０、Ｙ１、Ｙ２、Ｙ３、Ｙ４、Ｙ５、Ｑ１、Ｑ２、Ｑ３、Ｑ４、Ｑ５、Ｌ１、Ｌ２、Ｌ３、Ｌ４  及びＬ５）について以下に説明する。
Ｚ１、Ｚ２、Ｚ３、Ｚ４、Ｚ５、Ｚ６、Ｚ７、Ｚ８、Ｚ９、Ｚ１０、Ｙ１、Ｙ２、Ｙ３、Ｙ４、Ｙ５、Ｑ１、Ｑ２、Ｑ３、Ｑ４  及びＱ５は、それぞれ独立に、５員環または６員環を形成するに必要な非金属原子群を表す。形成される環は置換基を有していても良く、またさらに別の環と縮合環を形成しても良い。置換基としては、例えば、ハロゲン原子、アルキル基、置換アルキル基、フェノキシ基、置換フェノキシ基、アリール基、置換アリール基、アルコキシ基、置換アルコキシ基、ジアルキルアミノ基及び置換ジアルキルアミノ基であり、特に好ましくは、ハロゲン原子、炭素原子数１〜１０のアルキル基、炭素原子数１〜１０の置換アルキル基、炭素原子数６〜１０のアリール基、炭素原子数６〜１０の置換アリール基、炭素原子数１〜１０のアルコキシ基および炭素原子数１〜１０の置換アルコキシ基であり、最も好ましくは、ハロゲン原子、炭素原子数１〜４のアルキル基および炭素原子数１〜４の置換アルキル基である。
【００１１】
Ｚ１、Ｚ３、Ｚ５、Ｚ７  及びＺ９が形成する５員環、６員環としては、芳香族または複素芳香族環が好ましく、例えば、イミダゾール環、チアゾール環、オキサゾール環、ピロール環、オキサジアゾール環、チアジアゾール環、ピラゾール環、１，２，３−トリアゾール環、１，２，４−トリアゾール環、セレナゾール環、フラン環、チオフェン環、ベンゼン環、ピリジン環、ピリミジン環、ピラジン環およびピリダジン環が挙げられる。これらのうち、チアゾール環、ピロール環、ベンゼン環およびピリジン環が好ましくい。
【００１２】
Ｚ２、Ｚ４、Ｚ６、Ｚ８  及びＺ１０が形成する５員環、６員環としては、複素芳香族環が好ましく、例えば、イミダゾール環、チアゾール環、１，２，３−トリアゾール環、１，２，４−トリアゾール環、セレナゾール環、オキサゾール環、ピロール環、ピラゾール環、オキサジアゾール環、チアジアゾール環、ピリジン環、ピリミジン環、ピラジン環およびピリダジン環が挙げられる。これらのうち、イミダゾール環、チアゾール環、１，２，３−トリアゾール環、１，２，４−トリアゾール環、オキサゾール環、ピロール環、ピラゾール環、ピリジン環およびピリミジン環が好ましく、ピラゾール環およびピリジン環がさらに好ましい。
【００１３】
Ｌ１、Ｌ２、Ｌ３、Ｌ４  及びＬ５は単結合または２価の基を表す。２価の基としては、例えば、─Ｃ(Ｒ)(Ｒ’)─、─Ｎ(Ｒ)─、─Ｏ─、─Ｐ(Ｒ) ─および─Ｓ─が挙げられる。ここでＲは、水素原子または置換基を表し、置換基としては、例えばハロゲン原子、脂肪族基、芳香族基、複素環基、シアノ基、ニトロ基等を表す。  Ｌ１、Ｌ２、Ｌ３、Ｌ４  及びＬ５として、好ましくは、単結合または─Ｃ(Ｒ)(Ｒ’) ─、であり、さらに好ましくは、─Ｃ(Ｒ)(Ｒ’) ─であって、ＲおよびＲ’が水素原子、脂肪族基、または芳香族基の場合である。
【００１４】
Ｙ１、Ｙ２、Ｙ３、Ｙ４  及びＹ５はそれぞれ窒素原子または炭素原子を表す。Ｙ１、Ｙ２、Ｙ３、Ｙ４  及びＹ５が窒素原子の時は、Ｑ１、Ｑ２、Ｑ３、Ｑ４  及びＱ５は炭素原子とＹ１、Ｙ２、Ｙ３、Ｙ４  及びＹ５との間の結合が単結合であることを表す。Ｙ１、Ｙ２、Ｙ３、Ｙ４  及びＹ５が炭素原子のときは、Ｑ１、Ｑ２、Ｑ３、Ｑ４  及びＱ５は炭素原子とＹ１、Ｙ２、Ｙ３、Ｙ４  及びＹ５との間の結合が２重結合であることを表す。
【００１５】
Ｘはハロゲン原子を表し、好ましくは塩素原子、臭素原子であり、さらに好ましくは塩素原子である。
【００１６】
本発明で用いる原料である架橋イリジウムダイマーとしては、従来公知の全て使用できるが、前記一般式（１）で示される化合物を用いることが好ましい。
これらの化合物は、既報に基づき合成することができる（J.
Am. Chem. Soc., 123巻,
4304頁,
2001年、Bull.
Chem. Soc. Jpn., 47巻,
767頁,
1974年など）。
【００１７】
以下に、本発明で用いられる架橋ダイマーの代表例を示す。
【００１８】
【表１】
2004168756.tif 000006
【００１９】
本発明で用いる有機配位子としては、この種の反応原料として使用されるものであれば特に制限はないが、前記一般式（２）で示される化合物を用いることが好ましく、特にイリジウム-窒素結合およびイリジウム-炭素結合からなる結合を少なくとも２つ形成し得る多座配位子を用いることが好ましい。
【００２０】
このような配位子の例としては、例えば、２−フェニルピリジン誘導体、２−フェニルキノリン誘導体、７，８−ベンゾキノリン誘導体、２−（２−チエニル）ピリジン誘導体、１−フェニルピラゾール誘導体、２−フェニルイソキノリン誘導体、２−（２−ベンゾチオフェニル）ピリジン誘導体、２−ベンジルピリジン誘導体及び２−（１−ナフチル）ピリジン誘導体の他、国際公開第０１/０４１５１２号、国際公開第０２/１５６４５号、特許公開２００１-２４７８５９号に記載の有機配位子等を挙げることができる。
【００２１】
有機配位子の使用量は、反応を円滑に進めるために、架橋イリジウムダイマーに対し化学量論的に１０当量以上、好ましくは２０当量以上、更に好ましくは３０当量以上とすることが必要である。有機配位子の使用量が１０当量未満であると、後記する比較例にみるように、架橋イリジウムダイマーが反応不活性であるために、所望とするオルトメタル化イリジウム錯体の収率が低下する。このように、有機配位子の使用量をハロゲン化イリジウムに対して化学量論的に１０当量以上とした場合、オルトメタル化イリジウム錯体が主生成物になることは、従来全く知られていない事柄であり、本発明者らの、数多くの緻密な実験の積み重ねによって初めて見いだされた新規な知見である。
【００２２】
本発明がこのような手段を講じることにより、架橋イリジウムダイマーの反応性が高められ、オルトメタル化イリジウム錯体が高収率、高純度、かつ短時間で得られる理由は現時点では定かではないが、大過剰に添加した有機配位子が単に配位子として機能するだけでなく、塩基としても機能し、オルトメタル化反応における有機配位子からの脱プロトン過程を促進しているものと推定している。
【００２３】
また、本発明においては、加熱手段は特に制約されないが、反応を円滑するために、マイクロ波を照射することが好ましい。マイクロ波の照射時間は、マイクロ波反応装置の出力や有機配位子や用いる溶媒等に依存するが、１〜６０分が望ましく、より好ましくは１〜２０分である。マイクロ波の波長に特に制限はないが、２０００〜３０００ＭＨｚ、好ましくは２４００〜２５００ＭＨｚである。マイクロ波発振装置としては、市販されている従来公知の発振装置が全て適用できる。また、加熱手段として、オイルバス、マントルヒーター等を用いても良い。その場合の反応時間は、１〜２４時間が望ましく、より好ましくは１〜１０時間である。窒素雰囲気下、アルゴン雰囲気下で反応を行うのも好ましい。
【００２４】
本発明においては、該反応を更に円滑に進めるために、反応溶媒として、極性溶媒を用いることが望ましい。このような溶媒としては、メタノール、エタノール、１−プロパノール、エチレングリコール、グリセリン、２−メトキシエタノール、２−エトキシエタノール、Ｎ,Ｎ−ジメチルホルムアミドなどが挙げられるが、高沸点のエチレングリコール、グリセリン、２−メトキシエタノール、２−エトキシエタノール、Ｎ,Ｎ−ジメチルホルムアミド、もしくは、それらを含む混合溶媒を用いることが望ましい。最も好ましく用いられるのは、エチレングリコール、グリセリンである。
【００２５】
本発明の反応温度、反応圧力、反応時間は、使用する原料、マイクロ波の波長、溶媒などによって異なるが、通常、反応温度は２０〜３００℃、好ましくは１００〜２５０℃、さらに好ましくは１５０〜２５０℃、反応圧力は１〜３０ａｔｍ、好ましくは１〜５ａｔｍである。
【００２６】
該反応においては、反応後の溶液を濃縮することにより、オルトメタル化イリジウム錯体の収率を上げることができ、また、大過剰に使用した有機配位子については、蒸留、分留、抽出、ろ過、洗浄、再結晶、カラムクロマトグラフィー等の操作を単独あるいは組み合わせることで、反応系から容易に分離回収し再利用することができる。
【００２７】
本発明によって得られたオルトメタル化イリジウム錯体については、通常の合成反応の後処理に従って処理した後、必要があれば精製してあるいは精製せずに供することができる。後処理の方法としては、例えば、抽出、冷却、水または有機溶媒を添加することによる晶析、反応混合物からの溶媒を留去する操作等を単独あるいは組み合わせて行うことができる。精製の方法としては再結晶、蒸留、昇華あるいはカラムクロマトグラフィー等を単独あるいは組み合わせて行うことができる。
【００２８】
本発明により製造されるオルトメタル化イリジウム錯体については、フェイシャル型とメリジオナル型の異性体が存在するが、どちらの構造でも構わず、またそれらの混合体でも構わない。より好ましいのは、フェイシャル型のオルトメタル化イリジウム錯体である。
【００２９】
本発明により製造されたオルトメタル化イリジウム錯体については、架橋ダイマーの含有率が極めて低く（または検出限界以下であり）、該イリジウム錯体を発光素子の発光層もしくは発光層を含む複数の有機化合物層に含有されることで、従来よりも発光効率や耐久性で優れた発光素子を得ることができる。
【００３０】
本発明によって製造されるオルトメタル化イリジウム錯体は典型的には、前記一般式（４）又は（５）で示される。以下、本発明で得られるオルトメタル化イリジウム錯体の代表例を示すが、本発明はこれらに限定されない。
【００３１】
【表２】
2004168756.tif 000007
【実施例】
【００３２】
次に、本発明を実施例により詳細に説明する。
【００３３】
実施例１（（Ａ−１）の合成）
架橋ダイマー（Ｄ−１）を１００ｍｇ、２−フェニルピリジンを０．７２ｇ、エチレングリコール１５ｍｌをナスフラスコに入れた。このナスフラスコをマイクロ波発振装置（ＨＩＴＡＣＨＩ製、ＭＲ−２５０）に入れ、反応装置の上部には還流冷却管を取り付けた。還流冷却管の上部からはテフロン（登録商標）管を通じて、この溶液にアルゴンガスを２０分間通気した。その後、マイクロ波（２４５０ＭＨｚ）を２０分間照射した。この溶液を室温まで冷却した後、アルゴンガスを止め、冷蔵庫で一晩冷却した。沈殿してきた黄色結晶をろ別し、水、ペンタンで洗浄した後、減圧乾燥した。プロトンＮＭＲ（５００ＭＨｚ）による分析の結果、得られた黄色結晶はオルトメタル化イリジウム錯体（Ａ−１）であり、架橋ダイマー（Ｄ−１）は検出されなかった。（Ａ−１）の単離収率は６２％であった。
【００３４】
実施例２（（Ａ−２）の合成）
実施例１において、２−フェニルピリジンを２−（ｐ−トリル）ピリジンに代え、実施例１と同様（有機配位子を架橋ダイマーに対して１００当量）にして実験を行った。オルトメタル化イリジウム錯体（Ａ−２）の単離収率は６５％であった。
【００３５】
実施例３及び４（１０等量以上）、比較例１（１０当量未満）
実施例１において、２−フェニルピリジンの使用量を表１のように代えた以外は、実施例１と同様にして実験を行った。その結果を表３に示す。なお、表３には実施例１、２及び後述の実施例５の結果も併記した。
【００３６】
実施例５（（Ａ−１）の合成：オイルバスを用いて加熱還流法を用いた場合）
架橋ダイマー（Ｄ−１）を２５０ｍｇ、２−フェニルピリジンを３．６ｇ、エチレングリコール２５ｍｌを二口フラスコに入れ、アルゴン雰囲気下で１時間加熱還流した。この溶液を室温まで冷却した後、アルゴンガスを止め、沈殿してきた黄色結晶をろ別し、水、ペンタンで洗浄した後、減圧乾燥した。プロトンＮＭＲ（５００ＭＨｚ）による分析の結果、得られた黄色結晶はオルトメタル化イリジウム錯体（Ａ−１）であり、架橋ダイマー（Ｄ−１）は検出されなかった。（Ａ−１）の単離収率は８７％であった。
【００３７】
【表３】
2004168756.tif 000008
【００３８】
これらの結果から、有機配位子を架橋ダイマーに対し、化学量論的に１０等量以上添加したときにのみ、目的物であるオルトメタル化イリジウム錯体が主生成物として得られていることが判る。